(57)【要約】【課題】蓋本体と文字盤とムーブメントとが正確かつ確実に位置決めされ、アナログ表示部における表示精度を高め得るデジタルスチルカメラを提供すること。【解決手段】デジタルスチルカメラ１は、外面に目盛りが付された蓋本体２３と、目盛りが付され、蓋本体２３の内側に設けられた文字盤２２と、蓋本体２３の目盛りおよび文字盤２２の目盛りをそれぞれ指し示す指針２１１〜２１３が設けられたムーブメント２１とを有する表示ユニット２を備えている。表示ユニット２には、少なくとも１つのガイドピン２５２を有し、ムーブメント２１に固定されるガイド部材２５が設けられ、蓋本体２３および文字盤２２にそれぞれ設けられたガイドホール２２１、２３２に、ガイドピン２５２が挿入されることにより、蓋本体２３と、文字盤２２と、ムーブメント２１とが位置決めされる。【選択図】図３
2005301129.tif 000002
【特許請求の範囲】
【請求項１】
外面に目盛りが付された蓋本体と、目盛りが付され、前記蓋本体の内側に設けられた文字盤と、前記蓋本体の目盛りおよび前記文字盤の目盛りをそれぞれ指し示す複数の指針が設けられたムーブメントとを有するアナログ表示部を備えたデジタルスチルカメラであって、
前記アナログ表示部には、少なくとも１つのガイドピンを有し、前記ムーブメントに固定されるガイド部材が設けられ、
前記蓋本体および前記文字盤にそれぞれ設けられたガイドホールに、前記ガイドピンが挿入されることにより、前記蓋本体と、前記文字盤と、前記ムーブメントとが位置決めされることを特徴とするデジタルスチルカメラ。
【請求項２】
前記ガイド部材には、前記ガイドピンが複数形成されている請求項１に記載のデジタルスチルカメラ。
【請求項３】
組立前において、前記ガイドピンの最大外径は、前記ガイドホールの内径より若干大きい請求項１または２に記載のデジタルスチルカメラ。
【請求項４】
前記ガイドピンは、中空部を有する請求項１ないし３のいずれかに記載のデジタルスチルカメラ。
【請求項５】
前記ガイドピンは、その外周面に軸方向に沿って溝が形成されている請求項１ないし４のいずれかに記載のデジタルスチルカメラ。
【請求項６】
前記ガイドピンは、中空部と、前記ガイドピンの外周面に軸方向に沿って形成され、前記中空部に貫通する溝とを有する請求項１ないし３のいずれかに記載のデジタルスチルカメラ。
【請求項７】
前記ガイドピンは、その横断面形状がほぼ三角形をなしている請求項１ないし６のいずれかに記載のデジタルスチルカメラ。
【請求項８】
前記ガイド部材は、その形状がほぼ枠状をなしており、前記ムーブメントの外周に嵌合することにより固定される請求項１ないし７のいずれかに記載のデジタルスチルカメラ。
【請求項９】
前記ガイド部材は、主として、プラスチックで構成されている請求項１ないし８のいずれかに記載のデジタルスチルカメラ。
【請求項１０】
前記蓋本体の目盛りは、撮像可能な画像の枚数を示す請求項１ないし９のいずれかに記載のデジタルスチルカメラ。
【請求項１１】
前記文字盤の目盛りは、撮像時に設定する撮像される画像の解像度、撮像時に設定する環境の明るさおよびバッテリーにおける残量の少なくとも１つを示す請求項１ないし１０のいずれかに記載のデジタルスチルカメラ。
【請求項１２】
前記アナログ表示部には、前記ムーブメントを前記蓋本体側へ付勢する付勢部材が設けられている請求項１ないし１１のいずれかに記載のデジタルスチルカメラ。
【発明の詳細な説明】
【技術分野】
【０００１】
本発明は、デジタルスチルカメラに関する。
【背景技術】
【０００２】
従来のデジタルスチルカメラには、特許文献１に記載されているデジタルカメラが知られている。このデジタルスチルカメラには、例えばバッテリーの残量を表示するアナログ式の表示ユニット（表示部）を有するものがある。
この表示部は、外面に目盛りが付された蓋本体（胴）と、目盛りが付され、蓋本体の内側に設けられた文字盤と、蓋本体の目盛りおよび前記文字盤の目盛りをそれぞれ指し示す複数の指針が設けられたムーブメントとを備えている。このような構成の表示部では、蓋本体、文字盤およびムーブメントをそれぞれ位置決めする必要があった。
しかしながら、前記表示部では、例えばこの表示部の組立て状態によっては、蓋本体、文字盤およびムーブメントに位置ズレが生じる場合があった。この位置ズレ（例えば、文字盤の目盛りとムーブメントの指針との位置ズレ）により正確な表示を行うことが困難となる、すなわち、表示部における表示精度が低下するという問題があった。
【０００３】
【特許文献１】特開２００２−２６２１３５号公報
【発明の開示】
【発明が解決しようとする課題】
【０００４】
本発明の目的は、蓋本体と文字盤とムーブメントとが正確かつ確実に位置決めされ、アナログ表示部における表示精度を高め得るデジタルスチルカメラを提供することにある。
【課題を解決するための手段】
【０００５】
このような目的は、下記の本発明により達成される。
本発明のデジタルスチルカメラは、外面に目盛りが付された蓋本体と、目盛りが付され、前記蓋本体の内側に設けられた文字盤と、前記蓋本体の目盛りおよび前記文字盤の目盛りをそれぞれ指し示す複数の指針が設けられたムーブメントとを有するアナログ表示部を備えたデジタルスチルカメラであって、
前記アナログ表示部には、少なくとも１つのガイドピンを有し、前記ムーブメントに固定されるガイド部材が設けられ、
前記蓋本体および前記文字盤にそれぞれ設けられたガイドホールに、前記ガイドピンが挿入されることにより、前記蓋本体と、前記文字盤と、前記ムーブメントとが位置決めされることを特徴とする。
これにより、蓋本体と文字盤とムーブメントとが正確かつ確実に位置決めされ、アナログ表示部における表示精度を高めることができる。
【０００６】
本発明のデジタルスチルカメラでは、前記ガイド部材には、前記ガイドピンが複数形成されていることが好ましい。
これにより、アナログ表示部を組立てた際、ムーブメント、文字盤および蓋本体をより確実に位置決めすることができる。
本発明のデジタルスチルカメラでは、組立前において、前記ガイドピンの最大外径は、前記ガイドホールの内径より若干大きいことが好ましい。
これにより、ムーブメント、文字盤および蓋本体をより正確かつより確実に位置決めすることができる。従って、アナログ表示部における表示精度をより高めることができる。
【０００７】
本発明のデジタルスチルカメラでは、前記ガイドピンは、中空部を有することが好ましい。
これにより、ガイドピンを蓋本体のガイドホールに挿入するとき、ガイドピンが径方向に容易に変形することができ、よって、ガイドピンを蓋本体のガイドホールに差し込む作業が容易となる。
【０００８】
本発明のデジタルスチルカメラでは、前記ガイドピンは、その外周面に軸方向に沿って溝が形成されていることが好ましい。
これにより、ガイドピンを蓋本体のガイドホールに挿入するとき、ガイドピンが径方向に容易に変形することができ、よって、ガイドピンを蓋本体のガイドホールに差し込む作業が容易となる。
【０００９】
本発明のデジタルスチルカメラでは、前記ガイドピンは、中空部と、前記ガイドピンの外周面に軸方向に沿って形成され、前記中空部に貫通する溝とを有することが好ましい。
これにより、ガイドピンを蓋本体のガイドホールに挿入するとき、ガイドピンが径方向に容易に変形することができ、よって、ガイドピンを蓋本体のガイドホールに差し込む作業が容易となる。
【００１０】
本発明のデジタルスチルカメラでは、前記ガイドピンは、その横断面形状がほぼ三角形をなしていることが好ましい。
これにより、ガイドピンを蓋本体のガイドホールに挿入するとき、ガイドピンが径方向に容易に変形することができ、よって、ガイドピンを蓋本体のガイドホールに差し込む作業が容易となる。
【００１１】
本発明のデジタルスチルカメラでは、前記ガイド部材は、その形状がほぼ枠状をなしており、前記ムーブメントの外周に嵌合することにより固定されることが好ましい。
これにより、ガイド部材をムーブメントに容易に固定することができる。
本発明のデジタルスチルカメラでは、前記ガイド部材は、主として、プラスチックで構成されていることが好ましい。
これにより、ガイド部材を容易に成形（形成）することができる。
【００１２】
本発明のデジタルスチルカメラでは、前記蓋本体の目盛りは、撮像可能な画像の枚数を示すことが好ましい。
これにより、撮像可能な画像の枚数を確認することができる。
本発明のデジタルスチルカメラでは、前記文字盤の目盛りは、撮像時に設定する撮像される画像の解像度、撮像時に設定する環境の明るさおよびバッテリーにおける残量の少なくとも１つを示すことが好ましい。
これにより、撮像時に設定する撮像される画像の解像度、撮像時に設定する環境の明るさおよびバッテリーにおける残量の少なくとも１つを確認することができる。
本発明のデジタルスチルカメラでは、前記アナログ表示部には、前記ムーブメントを前記蓋本体側へ付勢する付勢部材が設けられていることが好ましい。
これにより、ガイドピンがガイドホールから抜去されるのを防止することができる。
【発明の効果】
【００１３】
本発明によれば、蓋本体と文字盤とムーブメントとが正確かつ確実に位置決めされ、アナログ表示部における表示精度を高めることができる。
【発明を実施するための最良の形態】
【００１４】
以下、本発明のデジタルスチルカメラを添付図面に示す好適な実施形態に基づいて詳細に説明する。
図１は、本発明のデジタルスチルカメラを示す背面斜視図である。図２は、図１に記載したデジタルスチルカメラの表示ユニットを示す平面図である。図３は、図２に記載した表示ユニットのＨ−Ｏ−Ｇ断面図である。図４は、図２に記載した表示ユニットのＭ−Ｏ−Ｋ断面図である。図５は、図１に記載したデジタルスチルカメラの表示ユニットの分解斜視図である。図６は、図５に記載した表示ユニットのガイド部材の拡大斜視図である。なお、以下では、特に述べない限り、図１、図３〜図６中（図７〜図９も同様）の上側を「上」、下側を「下」と言う。
【００１５】
図１に示すデジタルスチルカメラ（以下、単に「デジタルカメラ」という）１は、箱型のカメラ本体（ボディー）３を有している。このカメラ本体３の内側には、各種の機能部品が収納・設置されている。
カメラ本体３の正面側には、撮影光学系が内蔵されたレンズ鏡筒（図示せず）が設けられている。
【００１６】
図１に示すように、カメラ本体３の背面側には、ＬＣＤ（液晶表示素子）１１と、ファインダー１２と、複数（本実施形態では、４つ）の操作ボタンで構成された操作部１３とがそれぞれ設けられている。ＬＣＤ１１には、撮影した画像等を表示することができる。
図１中の右側の部分におけるカメラ本体３内には、電池室３４が形成されている。この電池室３４内には、電源としてのバッテリー（電池）Ｂが収納される。
電池室３４の近傍には、記録媒体としてのメモリカード１０が収納され装填される装填部が形成されている。
【００１７】
図１に示すように、カメラ本体３の上面側には、レリーズボタン１４と、アナログ式の表示ユニット（アナログ表示部）２とが設けられている。
このようなデジタルカメラ１では、前記撮影光学系により形成された被写体像をカメラ本体３内に設置されたＣＣＤ（撮像素子）により電気信号に変換し、これにより得られた画像データを前記装填部に装填されたメモリカード１０に記録する。なお、デジタルカメラ１は、静止画だけでなく動画が撮影および記録可能なものであってもよい。
【００１８】
前述したように、デジタルカメラ１には、アナログ式の表示ユニット（以下、単に「表示ユニット」という）２が設けられている。以下、この表示ユニット２の構成について説明する。
表示ユニット２は、デジタルカメラ１の上部（上面）に配置され（図１参照）、ムーブメント２１と、文字盤２２と、蓋本体２３と、底蓋２４とを備えている（図３〜図５参照）。
【００１９】
ムーブメント２１は、長針（指針）２１１および複数（本実施形態では、３つ）の短針（指針）２１２〜２１４を有している。これらの針（指針）２１１〜２１４は、所定の設定に基づいて、後述する蓋本体２３の目盛り２３３および文字盤２２の目盛り２２６〜２２８をそれぞれ指し示すように動作する（図２参照）。
文字盤２２は、円盤部材からなり、ムーブメント２１の針２１１〜２１４の各軸２１１ａ、２１２ａ、２１３ａ、２１４ａを挿通させる孔２２２ａ、２２２ｂ、２２２ｃ、２２２ｄをそれぞれ有すると共に、表示面２２５に短針２１２〜２１４に対応した目盛り２２６〜２２８が付されている。また、文字盤２２は、後述するガイド部材２５のガイドピン２５２が挿入されるガイドホール２２１を有する。
【００２０】
蓋本体２３は、枠状部材からなり、その上面（外面）２３４に長針２１１に対応した目盛り２３３を有する。また、蓋本体２３は、その内径が縮径した枠部（段差部）２３１の内側（下面２３１ａ）に、ガイド部材２５のガイドピン２５２が挿入されるガイドホール２３２を有する（図３参照）。
底蓋（裏蓋）２４は、蓋本体２３の底面側（下部）に取り付けられる。図３、図４に示すように、底蓋２４と蓋本体２３とで囲まれた空間２８（蓋本体２３の内側）には、ムーブメント２１と文字盤２２とが設置される。
【００２１】
また、表示ユニット２は、ガイド部材２５を有する（図５および図６参照）。このガイド部材２５は、その形状がほぼ枠状（環状）をなしており、環状部２５１と、ガイドピン２５２と、保持部２５３とで構成されている。
環状部２５１は、その外径が蓋本体２３の枠部２３１の内径（ムーブメント２１が収容される部分の内径）とほぼ等しい。
【００２２】
ガイドピン２５２は、ほぼ円柱形状をなしている。ガイドピン２５２は、その先端（上側）が環状部２５１の上方に突出するように環状部２５１の内周面に複数（本実施形態では、２つ）形成されている（図６参照）。ガイドピン２５２が複数形成されていることにより、表示ユニット２を組立てた際、ムーブメント２１、文字盤２２および蓋本体２３を強固に（より確実に）固定（位置決め）することができる。
【００２３】
また、組立前において、ガイドピン２５２は、その最大外径がガイドホール２２１、２３２のいずれの内径より若干大きいのが好ましい（例えば、図７（ｃ）参照）。これにより、ガイドピン２５２がガイドホール２２１、２３２に圧入されるため、表示ユニット２を組立てた際、ムーブメント２１、文字盤２２および蓋本体２３をより正確かつより確実に位置決めすることができる。従って、表示ユニット２における表示精度をより高めることができる。
保持部２５３は、その形状がほぼ長尺状をなしており、環状部２５１の下方に延びる（突出する）ように環状部２５１の下部に２つ形成されている。また、２つの保持部２５３は、互いに対向して形成されている（図６参照）。
【００２４】
このような構成のガイド部材２５をムーブメント２１に固定するとき、保持部２５３がムーブメント２１の外周面２１５に嵌合する。これにより、ガイド部材２５をムーブメント２１に容易に固定（取り付ける）することができる。
なお、この固定方法としては、嵌合に限定されず、例えば、接着剤による接着、熱融着、かしめ、ネジ止め等が挙げられる。
また、ガイド部材２５は、主として、プラスチックで構成されているのが好ましい。これにより、ガイド部材２５を容易に成形（形成）することができる。
【００２５】
次に、蓋本体２３の目盛り２３３と、文字盤２２の目盛り２２６〜２２８とについて説明する。
図２に示すように、蓋本体２３の目盛り２３３は、撮像可能な画像の枚数を示している。この目盛り２３３は、１目盛りあたり画像２枚分を示し、最大５０枚まで撮像可能であることを示している。このような目盛り２３３をムーブメント２１の長針２１１が指し示すことにより、撮像可能な画像の枚数（残量）を確認することができる。
【００２６】
図２に示すように、文字盤２２の目盛り２２６は、撮像時に設定する環境（撮影環境）の明るさを示している。この目盛り２２６は、複数（本実施形態では、５種類）の天気マークとともに、文字盤２２（表示面２２５）の左半面に付されて（印字されて）いる。この撮影環境の明るさは、操作部１３（操作ボタン）を操作することにより、設定することができる。例えば、撮影時の天気が快晴のときには、左短針２１２が目盛り２２６の快晴マーク（図２中、矢印で示す）を指し示すように操作部１３を操作する。
【００２７】
文字盤２２の目盛り２２７は、撮像時に設定する撮像される画像の解像度を示している。この目盛り２２７は、解像度の程度（画質）を表すアルファベット「Ｒ（Regular）」、「Ｈ（High）」および「Ｎ（Normal）」とともに、文字盤２２（表示面２２５）の右半面に付されて（印字されて）いる。この解像度は、前記撮影環境の明るさと同様に、操作部１３（操作ボタン）を操作することにより、設定することができる。例えば、最高解像度（高画質）で撮像しようとするときには、右短針２１３が目盛り２２７の「Ｈ」を指し示すように操作部１３を操作する。
【００２８】
文字盤２２の目盛り２２８は、バッテリーＢにおける残量を示している。この目盛り２２８は、バッテリーＢの容量の状態を示すアルファベット「Ｅ（Empty）」および「Ｆ（Full）」とともに、文字盤２２（表示面２２５）の下半面に付されて（印字されて）いる。バッテリーＢの残量は、ムーブメント２１の下短針２１４が目盛り２２８を指し示すことにより、確認される。
このような文字盤２２の目盛り２２６〜２２８により、画像の解像度、撮影環境の明るさおよびバッテリーＢの残量を撮像時に確認することができる。
【００２９】
また、表示ユニット２は、以下の工程により組立てられる（図５参照）。
まず、底蓋２４の内腔２４１にムーブメント２１を設置する。このとき、ムーブメント２１と底蓋２４との間には、板バネ（付勢部材）２６が挟み込まれている（図３、図４参照）。
次に、前述したようなガイド部材２５の保持部２５３の嵌合により、ムーブメント２１にガイド部材２５を設置（固定）する。この固定により、ムーブメント２１に対するガイド部材２５の径方向および周方向の移動が規制される、すなわち、ムーブメント２１に対するガイド部材２５の位置決めが行われる（図３、図４参照）。
【００３０】
次に、ガイド部材２５のガイドピン２５２を文字盤２２のガイドホール２２１に挿入しつつ、ムーブメント２１（ガイド部材２５）に文字盤２２を重ねる（設置する）。これにより、ガイド部材２５を介して、ムーブメント２１と文字盤２２とが位置決めされる（図３参照）。
また、文字盤２２をムーブメント２１に設置したことにより、文字盤２２の孔２２２ａ〜２２２ｄから針２１１〜２１４の各軸２１１ａ〜２１４ａが突出する。この状態で、各軸２１１ａ〜２１４ａに針２１１〜２１４を固定する（取り付ける）。
【００３１】
次に、ガイド部材２５のガイドピン２５２を蓋本体２３のガイドホール２３２に挿入しつつ、底蓋２４に蓋本体２３を重ねる。これにより、ガイド部材２５を介して、ムーブメント２１と文字盤２２と蓋本体２３とが位置決めされる（図３参照）。なお、蓋本体２３には、文字盤２２を視認することができるようなガラス板２７が予め取り付けられている。
【００３２】
また、底蓋２４に蓋本体２３を設置した際、板バネ２６が圧縮される。この圧縮された板バネ２６の付勢力（反発力）により、ムーブメント２１が上方（蓋本体２３側）へ押圧（付勢）されることとなり、ガイドピン２５２がガイドホール２２１、２３２から抜去されるのを防止することができる。また、この付勢力により、文字盤２２の表示面２２５が枠部２３１の下面（当て付け面）２３１ａに当接し、ムーブメント２１と文字盤２２との高さ（上下）方向の位置が規制される。
次に、ビス（図示せず）を用いて、蓋本体２３を底蓋２４に固定する。
【００３３】
以上のような構成の表示ユニット２では、ムーブメント２１と文字盤２２と蓋本体２３との位置決めを正確かつ確実に行うことができ、よって、各針２１１〜２１４と、それに対応した各目盛り２３３、２２６〜２２８とが正確かつ確実に位置決めされる。従って、表示ユニット２における表示精度を高めることができる。また、このような操作（位置決め操作）も容易に行うことができ、よって、表示ユニット２の組立てに要する時間も短縮することができる。
【００３４】
次に、ガイドピン２５２の形状における他の実施形態（変形例）について説明する。
図７〜図９は、それぞれ、ガイド部材のガイドピンの変形例を示す図である。これらの図において、（ａ）および（ｂ）は、ガイド部材２５のガイドピン２５２の側面図（ａ）および平面図（ｂ）を示しており、（ｃ）は、ガイドピン２５２がガイドホール２３２に差し込まれたときの部分断面図を示している。
【００３５】
［変形例１］
図７に示すガイドピン２５２には、中空部２５２ａと溝２５２ｂとが形成されている。
中空部２５２ａは、その形状がほぼ円柱状をなしている。また、この中空部２５２ａは、ガイドピン２５２の先端部（上部）に形成されている。このような中空部２５２ａが形成されていることにより、ガイドピン２５２を蓋本体２３のガイドホール２３２に挿入（圧入）するとき、ガイドピン２５２が径方向に容易に変形することができ、よって、ガイドピン２５２を蓋本体２３のガイドホール２３２に差し込む作業が容易となる。
【００３６】
溝２５２ｂは、ガイドピン２５２の外周面２５２ｃに軸方向に沿って複数（本変形例では、８つ）形成されている。これにより、前述した中空部２５２ａと同様に、ガイドピン２５２を蓋本体２３のガイドホール２３２に挿入（圧入）するとき、ガイドピン２５２が径方向に容易に変形することができ、よって、ガイドピン２５２を蓋本体２３のガイドホール２３２に差し込む作業が容易となる。また、ムーブメント２１と文字盤２２と蓋本体２３とをより確実に位置決めをすることができる。
【００３７】
［変形例２］
以下、図８を参照してガイドピンの変形例２について説明するが、前述した変形例１との相違点を中心に説明し、同様の事項はその説明を省略する。
本変形例は、ガイドピンの横断面形状が異なること以外は前記変形例１と同様である。
図８に示すガイドピン２５２は、その横断面形状がほぼ正三角形をなしている。これにより、ガイドピン２５２を蓋本体２３のガイドホール２３２に挿入（圧入）するとき、ガイドピン２５２が径方向に容易に変形することができ、よって、ガイドピン２５２を蓋本体２３のガイドホール２３２に差し込む作業が容易となる。また、ムーブメント２１と文字盤２２と蓋本体２３とをより確実に位置決めをすることができる。
【００３８】
［変形例３］
以下、図９を参照してガイドピンの変形例３について説明するが、前述した変形例１との相違点を中心に説明し、同様の事項はその説明を省略する。
本変形例は、ガイドピンの溝の形状が異なること以外は前記変形例１と同様である。
図９に示すガイドピン２５２は、その外周面２５２ｃに形成された複数（本変形例では、４つ）溝２５２ｂがそれぞれ中空部２５２ａに貫通している。これにより、ガイドピン２５２を蓋本体２３のガイドホール２３２に挿入（圧入）するとき、ガイドピン２５２が径方向に容易に変形することができ、よって、ガイドピン２５２を蓋本体２３のガイドホール２３２に差し込む作業が容易となる。また、ムーブメント２１と文字盤２２と蓋本体２３とをより確実に位置決めをすることができる。
【００３９】
なお、中空部２５２ａは、ガイドピン２５２の先端部に形成されているのに限定されず、例えば、ガイドピン２５２の中間部に形成されていてもよいし、ガイドピン２５２の全長にわたって形成されていてもよい。
また、溝２５２ｂの形成数は、４つまたは８つであるのに限定されず、１〜３つ、５〜７つまたは９つ以上であってもよい。
【００４０】
以上、本発明のデジタルスチルカメラを図示の実施形態について説明したが、本発明は、これに限定されるものではなく、デジタルスチルカメラを構成する各部は、同様の機能を発揮し得る任意の構成のものと置換することができる。また、任意の構成物が付加されていてもよい。
また、本発明のデジタルスチルカメラは、前記各実施形態のうちの、任意の２以上の構成（特徴）を組み合わせたものであってもよい。
【００４１】
また、ガイドピンの形成数は、２つであるのに限定されず、１つまたは３つ以上であってもよい。
また、蓋本体の目盛りは、撮影可能な画像の枚数を示すのに限定されず、例えば、文字盤で挙げたような事項（画像の解像度、環境の明るさ、バッテリーの残量）を示してもよいし、シャッタスピード等を示してもよい。
【００４２】
また、文字盤の目盛りは、画像の解像度、環境の明るさおよびバッテリーの残量を示すのに限定されず、例えば、これらの事項の１つまたは２つを示してもよいし、これら以外の事項（例えば、シャッタスピード、撮影可能な画像の枚数）を示してもよい。
また、付勢部材としては、板バネであるのに限定されず、例えば、フェルト、ポリウレタン、シリコンゴムのような弾性を有する部材等が挙げられる。
【００４３】
また、付勢部材は、図３に示すようにムーブメントの下面の１部（２箇所）に当接するように設けられているのに限定されず、例えば、ムーブメントの下面のほぼ全体に当接するように設けられていてもよいし、ムーブメントの下面の縁部に沿ってリング状に当接するように設けられていていてもよい。
また、ガイドピンの形状は、前記各変形例のうちの、任意の２以上の特徴を組み合わせたものであってもよい。例えば、変形例２のガイドピンに変形例１に示すような溝を設けてもよし、変形例２のガイドピンに変形例３に示すような溝を設けてもよい。
【図面の簡単な説明】
【００４４】
【図１】本発明のデジタルスチルカメラを示す背面斜視図である。
【図２】図１に記載したデジタルスチルカメラの表示ユニットを示す平面図である。
【図３】図２に記載した表示ユニットのＨ−Ｏ−Ｇ断面図である。
【図４】図２に記載した表示ユニットのＭ−Ｏ−Ｋ断面図である。
【図５】図１に記載したデジタルカスチルメラの表示ユニットの分解斜視図である。
【図６】図５に記載した表示ユニットのガイド部材の拡大斜視図である。
【図７】ガイド部材のガイドピンの変形例を示す図である。
【図８】ガイド部材のガイドピンの変形例を示す図である。
【図９】ガイド部材のガイドピンの変形例を示す図である。
【符号の説明】
【００４５】
１……デジタルカメラ（デジタルスチルカメラ）、１１……ＬＣＤ、１２……ファインダー、１３……操作部、１４……レリーズボタン、２……表示ユニット、２１……ムーブメント、２１１……長針、２１２……左短針、２１３……右短針、２１４……下短針、２１５……外周面、２１１ａ、２１２ａ、２１３ａ、２１４ａ……軸、２２……文字盤、２２１……ガイドホール、２２２ａ、２２２ｂ、２２２ｃ、２２２ｄ……孔、２２５……表示面、２２６、２２７、２２８……目盛り、２３……蓋本体、２３１……枠部、２３１ａ……下面（当て付け面）、２３２……ガイドホール、２３３……目盛り、２３４……上面、２４……底蓋、２４１……内腔、２５……ガイド部材、２５１……環状部、２５２……ガイドピン、２５２ａ……中空部、２５２ｂ……溝、２５２ｃ……外周面、２５３……保持部、２６……板バネ、２７……ガラス板、２８……空間、３……カメラ本体、３４……電池室、１０……メモリカード、Ｂ……バッテリー
【図１】
2005301129.tif 000003
【図２】
2005301129.tif 000004
【図３】
2005301129.tif 000005
【図４】
2005301129.tif 000006
【図５】
2005301129.tif 000007
【図６】
2005301129.tif 000008
【図７】
2005301129.tif 000009
【図８】
2005301129.tif 000010
【図９】
2005301129.tif 000011